【手続補正書】
【提出日】平成17年12月5日(2005.12.5)
【手続補正１】
【補正対象書類名】明細書
【補正対象項目名】特許請求の範囲
【補正方法】変更
【補正の内容】
【特許請求の範囲】
【請求項１】
外部機器とのデータ通信を実行する通信部と、
通信可能なアクセスポイントを検索し、検索したアクセスポイント毎の通信設定情報をピコセル情報として生成するとともに、前記ピコセル情報に設定された各アクセスポイントとの通信に適用する通信プロトコルに応じた利用アドレス情報を格納したマッピングテーブルを生成する通信情報取得処理と、
前記マッピングテーブルに基づいて通信プロトコルに応じたアドレスを設定し、前記ピコセル情報に基づいて通信状態設定処理を実行する通信準備処理と、
を実行する制御部と、
前記マッピングテーブル、および前記ピコセル情報を格納する記憶部と、
を有することを特徴とする通信処理装置。
【請求項２】
前記通信処理装置は、
前記制御部における複数の異なるネットワークプロトコルスタックを適用した並列処理により、異なる通信プロトコルを適用する異なるアクセスポイントまたは該異なるアクセスポイントを介した異なる接続リソースとの並列通信処理を実行する構成であることを特徴とする請求項１に記載の通信処理装置。
【請求項３】
前記制御部は、
自装置をマスタとし、通信可能な１以上のアクセスポイントをスレーブとした小規模ネットワークを設定し、スレーブとして設定された通信可能な１以上のアクセスポイントから該アクセスポイントに有線接続されたリソースに関するリソース情報収集処理を実行し、該収集リソース情報を前記マッピングテーブルに登録する処理を実行する構成であることを特徴とする請求項１に記載の通信処理装置。
【請求項４】
前記通信処理装置は、
ブルートゥース（Bluetooth）通信による無線通信を実行し、
前記制御部は、ブロードキャストによる問い合わせパケット送信により通信可能な１以上のアクセスポイントを検索し、ブロードキャストパケットに対する応答パケットを送信したアクセスポイントをスレーブとしたピコネットを設定し、スレーブとして設定された通信可能な１以上のアクセスポイントに対して、ＳＤＰ(Service Device Protocol)によるサービス検索処理を実行し、該サービス検索処理に基づいて取得したリソース情報を前記マッピングテーブルに登録する処理を実行する構成であることを特徴とする請求項１に記載の通信処理装置。
【請求項５】
前記マッピングテーブルは、
各通信プロトコルに従った通信処理を実行するための情報をディレクトリ構成として格納したテーブルであり、各通信プロトコルを適用した通信に必要なアドレス情報を格納したアドレス情報データファイルと、各通信プロトコルに従った通信に基づいてアクセス可能なリソース情報を格納したリソース情報ファイルとを含み、
前記制御部は、
前記マッピングテーブルからアドレス情報およびリソース情報を取得し、取得リソース情報に基づいて、リソースアドレスを宛先アドレスとして設定したデータ処理要求パケットを生成し送信する処理を実行する構成であることを特徴とする請求項１に記載の通信処理装置。
【請求項６】
前記制御部で実行する前記ピコセル情報に基づく通信状態設定処理は、
通信部を構成する物理レイヤにおける同期処理を含むことを特徴とする請求項１に記載の通信処理装置。
【請求項７】
前記制御部は、
通信可能なアクセスポイントの検索処理を、ブロードキャストパケットの送信処理として実行し、該ブロードキャストパケットの応答送信に基づいて、前記ピコセル情報の生成または更新処理を実行する構成であることを特徴とする請求項１に記載の通信処理装置。
【請求項８】
前記制御部は、
通信可能な１以上のアクセスポイントからアクセスポイントに有線接続されたリソースに関するリソース情報として、リソースのアドレス情報およびリソースに対して適用可能なコマンド情報を含む情報を収集し、該収集情報を前記マッピングテーブルに登録する処理を実行する構成であることを特徴とする請求項１に記載の通信処理装置。
【請求項９】
外部機器とのデータ通信を実行する通信処理方法であり、
通信可能なアクセスポイントを検索する検索ステップと、
検索したアクセスポイント毎の通信設定情報をピコセル情報として生成するピコセル情報生成ステップと、
前記ピコセル情報に設定された各アクセスポイントとの通信に適用する通信プロトコルに応じた利用アドレス情報を格納したマッピングテーブルを生成するマッピングテーブル生成ステップと、
前記マッピングテーブルに基づいて通信プロトコルに応じたアドレスを設定し、前記ピコセル情報に基づいて通信状態設定処理を実行する通信準備ステップと、
を実行することを特徴とする通信処理方法。
【請求項１０】
前記通信処理方法は、さらに、
複数の異なるネットワークプロトコルスタックを適用した並列処理により、異なる通信プロトコルを適用する異なるアクセスポイントまたは該異なるアクセスポイントを介した異なる接続リソースとの並列通信処理を実行するステップを含むことを特徴とする請求項９に記載の通信処理方法。
【請求項１１】
前記通信処理方法は、さらに、
自装置をマスタとし、通信可能な１以上のアクセスポイントをスレーブとした小規模ネットワークを設定し、スレーブとして設定された通信可能な１以上のアクセスポイントから該アクセスポイントに有線接続されたリソースに関するリソース情報収集処理を実行し、該収集リソース情報を前記マッピングテーブルに登録する処理を実行するステップを含むことを特徴とする請求項９に記載の通信処理方法。
【請求項１２】
前記通信処理方法は、
ブルートゥース（Bluetooth）通信による無線通信を実行し、
前記検索ステップは、ブロードキャストによる問い合わせパケット送信により通信可能な１以上のアクセスポイントを検索し、ブロードキャストパケットに対する応答パケットを送信したアクセスポイントをスレーブとしたピコネットを設定するステップであり、
スレーブとして設定された通信可能な１以上のアクセスポイントに対して、ＳＤＰ(Service Device Protocol)によるサービス検索処理を実行し、該サービス検索処理に基づいて取得したリソース情報を前記マッピングテーブルに登録する処理を実行するステップを含むことを特徴とする請求項９に記載の通信処理方法。
【請求項１３】
前記マッピングテーブルは、
各通信プロトコルに従った通信処理を実行するための情報をディレクトリ構成として格納したテーブルであり、各通信プロトコルを適用した通信に必要なアドレス情報を格納したアドレス情報データファイルと、各通信プロトコルに従った通信に基づいてアクセス可能なリソース情報を格納したリソース情報ファイルとを含み、
前記通信処理方法は、
前記マッピングテーブルからアドレス情報およびリソース情報を取得し、取得リソース情報に基づいて、リソースアドレスを宛先アドレスとして設定したデータ処理要求パケットを生成し送信する処理を実行するステップを含むことを特徴とする請求項９に記載の通信処理方法。
【請求項１４】
前記ピコセル情報に基づく通信状態設定処理は、
通信部を構成する物理レイヤにおける同期処理を含むことを特徴とする請求項９に記載の通信処理方法。
【請求項１５】
前記通信処理方法において、
前記検索ステップは、ブロードキャストパケットの送信処理として実行し、
前記ピコセル情報生成ステップは、該ブロードキャストパケットの応答送信に基づいて実行することを特徴とする請求項９に記載の通信処理方法。
【請求項１６】
前記マッピングテーブル生成ステップは、
通信可能な１以上のアクセスポイントからアクセスポイントに有線接続されたリソースに関するリソース情報として、リソースのアドレス情報およびリソースに対して適用可能なコマンド情報を含む情報を収集し、該収集情報を前記マッピングテーブルに登録する処理を含むことを特徴とする請求項９に記載の通信処理方法。
【請求項１７】
外部機器とのデータ通信を実行する通信処理をコンピュータ・システム上で実行するために記述されたコンピュータ・プログラムであって、
通信可能なアクセスポイントを検索する検索ステップと、
検索したアクセスポイント毎の通信設定情報をピコセル情報として生成するピコセル情報生成ステップと、
前記ピコセル情報に設定された各アクセスポイントとの通信に適用する通信プロトコルに応じた利用アドレス情報を格納したマッピングテーブルを生成するマッピングテーブル生成ステップと、
前記マッピングテーブルに基づいて通信プロトコルに応じたアドレスを設定し、前記ピコセル情報に基づいて通信状態設定処理を実行する通信準備ステップと、
を有することを特徴とするコンピュータ・プログラム。
【手続補正２】
【補正対象書類名】明細書
【補正対象項目名】００４４
【補正方法】変更
【補正の内容】
【００４４】
さらに、本発明の通信処理方法の一実施態様において、前記マッピングテーブル生成ステップは、通信可能な１以上のアクセスポイントからアクセスポイントに有線接続されたリソースに関するリソース情報として、リソースのアドレス情報およびリソースに対して適用可能なコマンド情報を含む情報を収集し、該収集情報を前記マッピングテーブルに登録する処理を含むことを特徴とする。
【手続補正３】
【補正対象書類名】図面
【補正対象項目名】図２
【補正方法】変更
【補正の内容】
【図２】
2004193775.tif 000001
【手続補正４】
【補正対象書類名】図面
【補正対象項目名】図９
【補正方法】変更
【補正の内容】
【図９】
2004193775.tif 000002
【手続補正５】
【補正対象書類名】図面
【補正対象項目名】図１０
【補正方法】変更
【補正の内容】
【図１０】
2004193775.tif 000003
【手続補正６】
【補正対象書類名】図面
【補正対象項目名】図１１
【補正方法】変更
【補正の内容】
【図１１】
2004193775.tif 000004
【手続補正７】
【補正対象書類名】図面
【補正対象項目名】図１２
【補正方法】変更
【補正の内容】
【図１２】
2004193775.tif 000005